(57)【要約】      （修正有）【課題】収納時に前記本体前面とほぼ同一面となり、収納解除時には下部の軸を中心として上部が手前に出没可能に設けられた前記熱源の加熱出力を操作する操作部を有する加熱調理器において、収納解除時に本体前面から手前に突出する操作部との衝突による怪我を防ぐこと。【解決手段】弾性部材１４を本体１１の前面に位置する出没可能な操作部１２に使用することにより、操作部が収納解除時に突出している状態で人が衝突した場合でも、弾性部材１４に接触するので、怪我を防ぐことができる。【選択図】図１
2011122761.tif 000002
【特許請求の範囲】
【請求項１】
本体上面に載置される被加熱物を加熱する前記本体上面に設けられた熱源と、前面が収納時に前記本体前面とほぼ同一面となり、収納解除時には下部の軸を中心として上部が手前に出没可能に設けられた前記熱源の加熱出力を操作する操作部と、を備え前記操作部の前面、上面及び側面からなる頂点を弾性部材で覆ったことを特徴とする加熱調理器。
【請求項２】
弾性部材が操作部の頂点を形成する少なくとも２つの陵線を同時に覆う請求項１に記載の加熱調理器。
【請求項３】
弾性部材をシリコンゴムで形成した請求項１または２に記載の加熱調理器。
【請求項４】
弾性部材は操作部から着脱可能とした請求項１〜３のいずれか１項に記載の加熱調理器。
【発明の詳細な説明】
【技術分野】
【０００１】
本発明は一般家庭のキッチンやレストランなどで使用される加熱調理器に関するものである。
【背景技術】
【０００２】
従来、操作部が本体前面で出没し使用しない時は収納可能な加熱調理器が報告されている（例えば、特許文献１参照）。
【先行技術文献】
【特許文献】
【０００３】
【特許文献１】特開平０６−３４７０４６号公報
【発明の概要】
【発明が解決しようとする課題】
【０００４】
操作部が本体前面で出没可能なことにより、使い勝手、視認性、デザイン性などの向上が報告されている。しかしながら、収納解除時に操作部が本体前面から手前に突出した状態では、人が衝突して怪我をするという課題を有していた。
【０００５】
本発明は、前記従来の課題を解決するもので、収納解除時に本体前面から手前に突出する操作部に弾性部材を使用することにより、衝突による怪我を防ぐことを目的とした加熱調理器を提供する。
【課題を解決するための手段】
【０００６】
前記従来の課題を解決するために、本発明の加熱調理器は弾性部材を本体前面で出没可能な操作部に使用するものである。
【０００７】
これにより、本体前面で出没可能な操作部が収納解除時に手前に突出している状態で人が衝突した場合でも怪我を防ぐことができる。
【発明の効果】
【０００８】
本発明の加熱調理器は出没可能な操作部の収納解除時に、本体から突出する操作部に弾性部材を使用することにより、衝突による怪我を防ぐことができる。
【図面の簡単な説明】
【０００９】
【図１】本発明の実施の形態１における本体１１の前面に設けられ、前面、上面及び側面からなる頂点を弾性部材１４で覆った出没可能な操作部１２を示す斜視図
【図２】本発明の実施の形態２における本体１１の前面に設けられ、前面、上面及び側面からなる頂点を形成する少なくとも２つの陵線を同時に弾性部材１４で覆った出没可能な操作部１２を示す斜視図
【図３】本発明の実施の形態３における弾性部材が操作部から着脱可能とした操作部１２と取り外した弾性部材１４を示す斜視図
【図４】本発明の実施の形態３における弾性部材のうち、操作部の前面、上面及び側面からなる頂点を形成する少なくとも２つの陵線を覆う弾性部材１５が操作部から取り外された図
【発明を実施するための形態】
【００１０】
第１の発明は、本体上面に載置される被加熱物を加熱する前記本体上面に設けられた熱
源と、前面が収納時に前記本体前面とほぼ同一面となり、収納解除時には下部の軸を中心として上部が手前に出没可能に設けられた前記熱源の加熱出力を操作する操作部と、を備え前記操作部の前面、上面及び側面からなる頂点を弾性部材で覆ったことを特徴とする加熱調理器とすることにより、前記頂点に衝突した場合でも怪我を防ぐことができる。
【００１１】
第２の発明は、特に、第１の発明の弾性部材が操作部の頂点を形成する少なくとも２つの陵線を同時に覆う請求項１に記載の加熱調理器とすることにより、前記陵線の角に衝突した場合でも怪我を防ぐことができる。
【００１２】
第３の発明は、特に、第１または第２の発明の弾性部材をシリコンゴムで形成した請求項１または２に記載の加熱調理器とすることである。耐熱性、耐寒性、化学的安定性などが優れたシリコンゴムを使用することにより、他の弾性部材を使用するよりも耐久性などの向上に繋がる。
【００１３】
第４の発明は、特に、第１〜３のいずれか一つの発明の弾性部材は操作部から着脱可能とした請求項１〜３のいずれか１項に記載の加熱調理器とすることにより、必要に応じて弾性部材の取り付けが可能になる。
【００１４】
以下、本発明の実施の形態について、図面を参照しながら説明する。なお、この実施の形態によって本発明が限定されるものではない。
【００１５】
（実施の形態１）
図１は、本発明の実施の形態１における本体１１の前面に設けられ、前面、上面及び側面からなる頂点を弾性部材１４で覆った出没可能な操作部１２を示す斜視図である。
【００１６】
なお、図１において弾性部材１４は発泡シリコンゴムを指すが水素化ニトリルゴムなどの弾性部材であれば特に限定されない。また、操作部１２の材質はここではポリカーボネートであるが、これに限定されるものではない。また、弾性部材１４は接着剤を用いて操作部１２と固定されている。
【００１７】
以上のように構成された加熱調理器について、以下その動作、作用を説明する。
【００１８】
まず、操作部１２の上面には本体１１の上面に載置される鍋などの被加熱物（図示していない）を加熱する本体上面に設けられた熱源１０の加熱出力を操作する操作パネル（図示していない）を備えている。なお、この操作パネルにはグリル操作やタイマー機能などを操作するものも含まれる。操作部１２は加熱調理器の操作をしない場合、本体１１の前面とほぼ同一面に収納されており、人との衝突は通常起こらない。しかし、収納解除時には操作部１２は、下部の軸１３を中心軸として弧を描くかたちで手前に突出する。すると、本体前面から操作部１２の一部が手前に突出した状態になるため人との衝突が起こり得る。しかし、突出した操作部１２において、最も怪我をしやすい、前面、上面及び側面からなる頂点を弾性部材１４で覆っておくことにより、たとえ人との衝突があった場合でも、接触する弾性部材の弾力によって怪我を防ぐことができる。
【００１９】
以上のように、本実施の形態においては本体前面で出没可能な操作部の前面、上面及び側面からなる頂点を弾性部材で覆うことにより、衝突による怪我を防ぐことができる。
【００２０】
また、人との衝突のうち、特に子供においては、据え置きタイプやビルトインタイプの加熱調理器では、手前に突出した操作部が頭部付近に位置するため、頭部や顔面への怪我防止に役立つ。
【００２１】
また、弾性部材を使用しているため、操作部自体の衝撃保護にも役立ち、操作部の破損防止にも繋がる。
【００２２】
（実施の形態２）
図２は、本発明の実施の形態２における本体１１の前面に設けられ、前面、上面及び側面からなる頂点を形成する少なくとも２つの陵線を同時に弾性部材１４で覆った出没可能な操作部１２を示す斜視図である。
【００２３】
以上のように構成された加熱調理器について、以下その動作、作用を説明する。
【００２４】
まず、本体１１の前面で出没可能に設けられた操作部１２は、収納解除時には、前面、上面及び側面からなる頂点と共に、前記頂点を形成する陵線上の角も、本体前方に突出した状態になるため、陵線上の角との衝突による怪我も起こる可能性がある。そこで少なくとも２つの前記陵線を同時に覆う弾性部材を設けることにより、前記陵線の角との衝突による怪我を防ぐことができる。
【００２５】
（実施の形態３）
図３は、本発明の実施の形態３における弾性部材が操作部から着脱可能とした操作部１２と取り外した弾性部材１４を示す斜視図である。
【００２６】
なお、図３において着脱可能な弾性部材１４は、突起１７を設け、操作部１２に設けた穴１６との嵌合により固定されるが、嵌合に限らずネジ締めなど着脱可能な取り付け方法であれば固定方法の限定はしない。
【００２７】
以上のように構成された加熱調理器について、以下その動作、作用を説明する。
【００２８】
通常、操作部１２に取り付けられている弾性部材１４は突起１７と操作部１２の穴１６が嵌合して固定されている。しかし弾性部材の破損により交換する場合や、予め穴１６が開けられているので、弾性部材を使用していない操作部に必要に応じて取り付ける場合、例えば、普段居ない子供がいて接触する可能性がある場合に、簡易に取り付けることができる。
【００２９】
以上のように、本実施の形態においては、収納解除時に本体前面から手前に突出した操作部に着脱可能な弾性部材を使用することにより、弾性部材の取り付けが簡易になる。なお、着脱可能な弾性部材の形状は、図３に示した弾性部材１４だけでなく、図４に示したような、操作部の前面、上面及び側面からなる頂点を形成する少なくとも２つの陵線を同時に覆う形状の弾性部材１５でも頂点を覆い同様の作用効果が得られる。
【産業上の利用可能性】
【００３０】
以上のように、本発明にかかる加熱調理器は本体前面から手前に突出する出没可能な操作部に弾性部材を使用することにより、衝突による怪我を防ぐことができるので、出没可能な操作部を有する、誘導加熱調理器、ガスコンロ、シーズヒーターなどの用途にも適用できる。
【符号の説明】
【００３１】
１０  熱源
１１  本体
１２  操作部
１３  軸
１４、１５  弾性部材
【図１】
2011122761.tif 000003
【図２】
2011122761.tif 000004
【図３】
2011122761.tif 000005
【図４】
2011122761.tif 000006